【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
発電機によって発電される起電力をチョッパ電圧に変換し、そのチョッパ電圧を第１のラインと第２のラインとの間に発生させるチョッパ回路において、
前記第１のラインの電圧と前記発電機の出力端子における電圧とを比較する比較部と、
前記第１のラインと前記発電機の出力端子との間に設けられ、前記比較部からの比較結果が前記発電機の出力端子における電圧が所定の電圧以上の場合、一方向に電流を流す充電用のスイッチ部と、
前記第２のラインと前記発電機の出力端子との間に設けられ、スイッチ素子および該スイッチ素子に並列接続された一方向に電流を流す一方向性素子を有する閉ループ用のスイッチ部と、
前記スイッチ素子を制御する制御部とを備え、
前記制御部は、
前記比較部の比較結果に基づいて前記充電用のスイッチ部が一定期間オフになったことを検出することにより、充電が終了したと判定する充電終了判定部と、
前記充電終了判定部により充電が終了したと判定された場合、前記スイッチ素子を予め決められた時間だけオンさせるスイッチ素子制御部とを有することを特徴とするチョッパ回路。
【請求項２】
請求項１記載のチョッパ回路において、
前記第２のラインと前記発電機の他の出力端子との間に設けられ、前記発電機の他の出力端子における電圧が所定の電圧以上の場合、前記スイッチ素子をオンにする第２の制御部を更に具備することを特徴とするチョッパ回路。
【請求項３】
請求項１記載のチョッパ回路において、
前記閉ループ用のスイッチ部に並列接続された第２の充電用のスイッチ部を更に有し、
前記第２の充電用のスイッチ部は、前記発電機の他の出力端子における電圧に応じて接続状態が切り換わることを特徴とするチョッパ回路。
【請求項４】
電源の電力をチョッパ電圧に変換し、そのチョッパ電圧を第１のラインと第２のラインとの間に発生させるチョッパ回路において、
前記第１のラインの電圧と前記電源の電力が供給される入力端子の電圧とを比較する比較部と、
前記第１のラインと前記入力端子との間に設けられ、前記比較部からの比較結果が前記入力端子の電圧が所定の電圧以上の場合、一方向に電流を流す充電用のスイッチ部と、
前記第２のラインと前記入力端子との間に設けられ、スイッチ素子および該スイッチ素子に並列接続された一方向に電流を流す一方向性素子を有する閉ループ用のスイッチ部と、
前記スイッチ素子を制御する制御部とを備え、
前記制御部は、
前記比較部の比較結果に基づいて前記充電用のスイッチ部が一定期間オフになったことを検出することにより、充電が終了したと判定する充電終了判定部と、
前記充電終了判定部により充電が終了したと判定された場合、前記スイッチ素子を予め設定された設定時間だけオンにさせるスイッチ素子制御部とを有することを特徴とするチョッパ回路。
【請求項５】
請求項４記載のチョッパ回路において、
前記第２のラインと前記電源の電力が供給される他の入力端子との間に設けられ、前記他の入力端子の電圧が所定の電圧以上の場合、前記スイッチ素子をオンにする第２の制御部を更に具備することを特徴とするチョッパ回路。
【請求項６】
請求項４記載のチョッパ回路において、
前記閉ループ用のスイッチ部に並列接続された第２の充電用のスイッチ部を更に有し、
前記第２の充電用のスイッチ部は、前記電源の電力が供給される他の入力端子の電圧に応じて接続状態が切り換わることを特徴とするチョッパ回路。
【請求項７】
請求項１乃至請求項６のいずれかに記載のチョッパ回路において、
前記スイッチ素子制御部は、
前記スイッチ素子をオンにする信号を、クロック信号を分周させることによって生成する時間設定部と、
前記充電用のスイッチ部がオンになった時点から前記充電終了判定部により充電が終了したと判定されるまで、前記スイッチ素子を強制的にオフにする閉ループ禁止部とを有し、
前記充電終了判定部により充電が終了したと判定された場合、前記時間設定部におけるクロック信号の分周動作をリセットし、該時間設定部で生成される分周信号に基づいた設定時間だけ、前記スイッチ素子をオンにすることを特徴とするチョッパ回路。
【請求項８】
交流発電機によって発電される起電力をチョッパ電圧に変換し、そのチョッパ電圧を第１のラインと第２のラインとの間に発生させるチョッパ回路において、
前記第１のラインの電圧と前記交流発電機の一方の出力端子における電圧とを比較する第１の比較部と、
前記第１のラインと前記一方の出力端子との間に設けられ、前記一方の出力端子における電圧が所定の電圧以上の場合、一方向に電流を流す第１のスイッチ部と、
前記第１のラインの電圧と前記交流発電機の他方の出力端子における電圧とを比較する第２の比較部と、
前記第１のラインと前記他方の出力端子との間に設けられ、前記他方の出力端子における電圧が所定の電圧以上の場合、一方向に電流を流す第２のスイッチ部と、
前記第２のラインと前記一方の出力端子との間に設けられ、スイッチ素子および該スイッチ素子に並列接続された一方向に電流を流す一方向性素子を有する第３のスイッチ部と、
前記第２のラインと前記他方の出力端子との間に設けられ、スイッチ素子および該スイッチ素子に並列接続された一方向に電流を流す一方向性素子を有する第４のスイッチ部と、
前記第３および第４のスイッチ部におけるスイッチ素子を制御する制御部とを備え、
前記制御部は、
前記第１および第２の比較部の比較結果に基づいて前記第１および第２のスイッチ部が一定期間オフになったことを検出することにより、充電が終了したと判定する充電終了判定部と、
前記充電終了判定部により充電が終了したと判定された場合、前記第３および第４のスイッチ部におけるスイッチ素子を予め決められた設定時間だけオンさせるスイッチ素子制御部とを有することを特徴とするチョッパ回路。
【請求項９】
請求項８記載のチョッパ回路において、
前記第２のラインと前記他方の出力端子との間に設けられ、前記他方の出力端子における電圧が所定の電圧以上の場合、前記第３のスイッチ部におけるスイッチ素子をオンにする第２の制御部と、
前記第２のラインと前記一方の出力端子との間に設けられ、前記一方の出力端子における電圧が所定の電圧以上の場合、前記第４のスイッチ部におけるスイッチ素子をオンにする第３の制御部とを更に具備することを特徴とするチョッパ回路。
【請求項１０】
請求項８記載のチョッパ回路において、
前記第３のスイッチ部に並列接続された第５のスイッチ部と、
前記第４のスイッチ部に並列接続された第６のスイッチ部とを更に有し、
前記第５のスイッチ部は、前記他方の出力端子における電圧に応じて接続状態が切り換わり、
前記第６のスイッチ部は、前記一方の出力端子における電圧に応じて接続状態が切り換わることを特徴とするチョッパ回路。
【請求項１１】
交流電源の電力をチョッパ電圧に変換し、そのチョッパ電圧を第１のラインと第２のラインとの間に発生させるチョッパ回路において、
前記第１のラインの電圧と前記交流電源の電力が供給される一方の入力端子の電圧とを比較する第１の比較部と、
前記第１のラインと前記一方の入力端子との間に設けられ、前記一方の入力端子の電圧が所定の電圧以上の場合、一方向に電流を流す第１のスイッチ部と、
前記第１のラインの電圧と前記交流電源の電力が供給される他方の入力端子の電圧とを比較する第２の比較部と、
前記第１のラインと前記他方の入力端子との間に設けられ、前記他方の入力端子の電圧が所定の電圧以上の場合、一方向に電流を流す第２のスイッチ部と、
前記第２のラインと前記一方の入力端子との間に設けられ、スイッチ素子および該スイッチ素子に並列接続された一方向に電流を流す一方向性素子を有する第３のスイッチ部と、
前記第２のラインと前記他方の入力端子との間に設けられ、スイッチ素子および該スイッチ素子に並列接続された一方向に電流を流す一方向性素子を有する第４のスイッチ部と、
前記第３および第４のスイッチ部におけるスイッチ素子を制御する制御部とを備え、
前記制御部は、
前記第１および第２の比較部の比較結果に基づいて前記第１および第２のスイッチ部が一定期間オフになったことを検出することにより、充電が終了したと判定する充電終了判定部と、
前記充電終了判定部により充電が終了したと判定された場合、前記第３および第４のスイッチ部におけるスイッチ素子を予め決められた設定時間だけオンさせるスイッチ素子制御部とを有することを特徴とするチョッパ回路。
【請求項１２】
請求項１１記載のチョッパ回路において、
前記第２のラインと前記他方の入力端子との間に設けられ、前記他方の入力端子の電圧が所定の電圧以上の場合、前記第３のスイッチ部におけるスイッチ素子をオンにする第２の制御部と、
前記第２のラインと前記一方の入力端子との間に設けられ、前記一方の入力端子の電圧が所定の電圧以上の場合、前記第４のスイッチ部におけるスイッチ素子をオンにする第３の制御部とを更に具備することを特徴とするチョッパ回路。
【請求項１３】
請求項１１に記載のチョッパ回路において、
前記第３のスイッチ部に並列接続された第５のスイッチ部と、
前記第４のスイッチ部に並列接続された第６のスイッチ部とを更に有し、
前記第５のスイッチ部は、前記他方の入力端子の電圧に応じて接続状態が切り換わり、
前記第６のスイッチ部は、前記一方の入力端子の電圧に応じて接続状態が切り換わることを特徴とするチョッパ回路。
【請求項１４】
請求項８乃至請求項１３のいずれかに記載のチョッパ回路において、
前記スイッチ素子制御部は、
前記第３および第４のスイッチ部におけるスイッチ素子をオンにする信号を、クロック信号を分周させることによって生成する時間設定部と、
前記第１および第２のスイッチ部がオンになった時点から前記充電終了判定部により充電が終了したと判定されるまで、前記第３および第４のスイッチ部におけるスイッチ素子を強制的にオフにする閉ループ禁止部とを有し、
前記充電終了判定部により充電が終了したと判定された場合、前記時間設定部におけるクロック信号の分周動作をリセットし、該時間設定部で生成される分周信号に基づいた設定時間だけ、前記第３および第４のスイッチ部におけるスイッチ素子をオンにすることを特徴とするチョッパ回路。
【請求項１５】
第１のラインの電圧と発電機の出力端子における電圧とを比較する比較回路と、前記第１のラインと前記出力端子との間に設けられ、前記発電機の出力端子における電圧が所定の電圧以上の場合、一方向に電流を流す充電用のスイッチ回路と、第２のラインと前記出力端子との間に設けられ、スイッチ素子および該スイッチ素子に並列接続された一方向に電流を流す一方向性素子を有する閉ループ用のスイッチ回路と、前記閉ループ用のスイッチ回路におけるスイッチ素子を制御する制御回路とを備え、
前記発電機の起電力をチョッパ電圧に変換し、そのチョッパ電圧を前記第１のラインと前記第２のラインとの間に発生させるチョッパ回路の制御方法において、
前記比較回路の比較結果に基づいて前記充電用のスイッチ回路が一定期間オフになったことを検出することにより充電が終了したと判定された場合、前記閉ループ用のスイッチ回路におけるスイッチ素子を予め決められた設定時間だけオンさせることを特徴とするチョッパ回路の制御方法。
【請求項１６】
第１のラインの電圧と電源の電力が供給される入力端子の電圧とを比較する比較回路と、前記第１のラインと前記入力端子との間に設けられ、前記入力端子の電圧が所定の電圧以上の場合、一方向に電流を流す充電用のスイッチ回路と、第２のラインと前記入力端子との間に設けられ、スイッチ素子および該スイッチ素子に並列接続された一方向に電流を流す一方向性素子を有する閉ループ用のスイッチ回路と、前記スイッチ素子を制御する制御回路とを備え、
前記電源の電力をチョッパ電圧に変換し、そのチョッパ電圧を前記第１のラインと前記第２のラインとの間に発生させるチョッパ回路の制御方法において、
前記比較回路の比較結果に基づいて前記充電用のスイッチ回路が一定期間オフになったことを検出することにより充電が終了したと判定された場合、前記閉ループ用のスイッチ回路におけるスイッチ素子を予め決められた設定時間だけオンさせることを特徴とするチョッパ回路の制御方法。
【請求項１７】
第１のラインの電圧と交流発電機の一方の出力端子における電圧とを比較する第１の比較回路と、前記第１のラインと前記一方の出力端子との間に設けられ、前記一方の出力端子における電圧が所定の電圧以上の場合、一方向に電流を流す第１のスイッチ回路と、前記第１のラインの電圧と前記交流発電機の他方の出力端子における電圧とを比較する第２の比較回路と、前記第１のラインと前記他方の出力端子との間に設けられ、前記他方の出力端子における電圧が所定の電圧以上の場合、一方向に電流を流す第２のスイッチ回路と、前記第２のラインと前記一方の出力端子との間に設けられ、スイッチ素子および該スイッチ素子に並列接続された一方向に電流を流す一方向性素子を有する第３のスイッチ回路と、前記第２のラインと前記他方の出力端子との間に設けられ、スイッチ素子および該スイッチ素子に並列接続された一方向に電流を流す一方向性素子を有する第４のスイッチ回路と、前記第３および第４のスイッチ回路におけるスイッチ素子を制御する制御回路とを備え、
前記交流発電機の起電力をチョッパ電圧に変換し、そのチョッパ電圧を前記第１のラインと前記第２のラインとの間に発生させるチョッパ回路の制御方法において、
前記第１および第２の比較回路の比較結果に基づいて第１および第２のスイッチ回路が一定期間オフになったことを検出することにより充電が終了したと判定された場合、前記第３および第４のスイッチ回路におけるスイッチ素子を予め決められた設定時間だけオンさせることを特徴とするチョッパ回路の制御方法。
【請求項１８】
第１のラインの電圧と交流電源の電力が供給される一方の入力端子の電圧とを比較する第１の比較回路と、前記第１のラインと前記一方の入力端子との間に設けられ、前記一方の入力端子の電圧が所定の電圧以上の場合、一方向に電流を流す第１のスイッチ回路と、前記第１のラインの電圧と前記交流電源の電力が供給される他方の入力端子の電圧とを比較する第２の比較回路と、前記第１のラインと前記他方の入力端子との間に設けられ、前記他方の入力端子の電圧が所定の電圧以上の場合、一方向に電流を流す第２のスイッチ回路と、第２のラインと前記一方の入力端子との間に設けられ、スイッチ素子および該スイッチ素子に並列接続された一方向に電流を流す一方向性素子を有する第３のスイッチ回路と、前記第２のラインと前記他方の入力端子との間に設けられ、スイッチ素子および該スイッチ素子に並列接続された一方向に電流を流す一方向性素子を有する第４のスイッチ回路と、前記第３および第４のスイッチ回路におけるスイッチ素子を制御する制御回路とを備え、
前記交流電源の起電力をチョッパ電圧に変換し、そのチョッパ電圧を前記第１のラインと前記第２のラインとの間に発生させるチョッパ回路の制御方法において、
前記第１および第２の比較回路の比較結果に基づいて第１および第２のスイッチ回路が一定期間オフになったことを検出することにより充電が終了したと判定された場合、前記第３および第４のスイッチ回路におけるスイッチ素子を予め決められた設定時間だけオンさせることを特徴とするチョッパ回路の制御方法。
【請求項１９】
請求項１乃至請求項１４のいずれかに記載のチョッパ回路と、
前記チョッパ回路のチョッパ電圧を蓄電する蓄電部と
を備えることを特徴とするチョッパ式充電回路。
【請求項２０】
請求項１９記載のチョッパ式充電回路を内蔵するとともに、前記チョッパ式充電回路から給電される電力によって動作することを特徴とする電子機器。
【請求項２１】
請求項１９記載のチョッパ式充電回路と、
前記チョッパ式充電回路から給電される電力によって時刻を計時して表示するする時刻表示部と
を備えることを特徴とする計時装置。
【手続補正２】
【補正対象書類名】明細書
【補正対象項目名】００５３
【補正方法】変更
【補正の内容】
【００５３】
そして、充電により出力端子Ａの電圧が徐々に減少し、時刻ｔ５において出力端子Ａの電圧が端子電圧ＶＤＤ以下になると、コンパレータＣＯＭ１の出力信号ＳＰ１がＨレベルになり、ＰチャンネルＦＥＴＰ１がオフ状態に切り換わる。
この場合、信号ＳＰ１および信号ＳＰ２の両信号がＨレベルになるため、アンド回路２３からの出力信号ＳＰＰは、図６（ｅ）に示すように、Ｈレベルになる。
このため、図６（ｆ）に示すように、Ｄ−ＦＦ回路２５では、信号ＳＰＰの立ち上がりを検出して信号ＳＱがＨレベルになり（図４のステップＳ８）、信号ＳＰＰは、アンド回路２４を介してタイマーカウンタ２７のセット／リセット端子に供給される。これにより、信号ＳＰＰ（＝信号ＳＡ）がＨレベルの期間だけタイマーカウンタ２７によりカウントされることになる（図６（ｇ））（図４のステップＳ９）。
そして、タイマーカウンタ２７では、信号ＳＡがＨレベルか否かを判定し（図５のステップＳ１０）、Ｈレベルの場合にクロックを計測し（図５のステップＳ１１）、予め決められたカウント値になるまで計測を繰り返す（図５のステップＳ１２）。そして、ステップＳ１２でカウント値がｔに達した場合（ステップＳ１２；ＹＥＳ）、チャタリングによる変動が安定して充電が完了したと判定し、次の短絡期間に備えるべく、タイマーカウンタ２７のカウント値をリセットし（ステップＳ１３）、ステップＳ２からの処理を繰り返す。
すなわち、充電期間にＰチャンネルＦＥＴＰ１がオフ状態に切り換わると、タイマーカウンタ２７によりＰチャンネルＦＥＴＰ１、Ｐ２の両方がオフ状態の期間のカウントが開始される。
そして、ＰチャンネルＦＥＴＰ１、Ｐ２のオフ状態が一定時間経過すると、時刻ｔ７においてカウント値がレジスタ２９に保存されている設定値に達することにより、図６（ｈ）に示すように、キャリー信号ＳＴが比較的短期間でＬレベルに立ち下がる。
なお、時刻ｔ６と時刻ｔ７の差の時間ｔは、レジスタ２９に保存されている設定値に対応している。このため、この設定値を変更することにより、時間ｔの長さを調整することが可能となる。